(57)【要約】【課題】  処理能力を向上できる紫外線照射装置を提供する。【解決手段】  被処理流体が通流する流路５、１９、９と、流路１９内に設置されて流路１９内を通流する被処理流体に紫外線を照射する複数の紫外線照射ユニット１７とを備え、紫外線照射ユニット１７には、流路１９内の被処理流体の流れに交わる方向に延在した状態で紫外線ランプ３１が設置され、流路１９には、複数の紫外線照射ユニット１７が流路１９内の被処理流体の流れの方向に並べて設置され、複数の紫外線照射ユニット１７が流路１９内に設置された紫外線照射部７では、隣り合う紫外線照射ユニット１７の間が、流路１９の紫外線ランプ３１の延在方向に沿う方向の壁面間の幅が狭くなっている絞り部分１９ｃとなっている構成とする。被処理流体や被処理流体中の照射対象物が受ける紫外線照射量の均一化が促進され、紫外線照射装置の処理能力を向上できる。【選択図】        図２
2005040746.tif 000002
【特許請求の範囲】
【請求項１】
被処理流体が通流する流路と、該流路内に設置されて該流路内を通流する被処理流体に紫外線を照射する複数の紫外線照射ユニットとを備え、該紫外線照射ユニットには、前記流路内の被処理流体の流れに交わる方向に延在した状態で紫外線ランプが設置され、前記流路には、複数の前記紫外線照射ユニットが前記流路内の被処理流体の流れの方向に並べて設置され、前記複数の紫外線照射ユニットが前記流路内に設置された紫外線照射部では、隣り合う前記紫外線照射ユニットの間で、前記流路の前記紫外線ランプの延在方向に沿う方向の壁面間の幅が狭くなっている紫外線照射装置。
【請求項２】
前記紫外線照射部からの出口部分で、前記流路の前記紫外線ランプの延在方向に沿う方向の壁面間の幅が狭くなっていることを特徴とする請求項１に記載の紫外線照射装置。
【請求項３】
隣り合う前記紫外線照射ユニットの間で前記紫外線ランプの延在方向に沿う方向の壁面間の幅が狭くなっている部分は、前記流路の前記紫外線ランプの延在方向に沿う方向の壁面間の幅が漸次狭くなった後、漸次拡大する形状となっていることを特徴とする請求項１または２に記載の紫外線照射装置。
【請求項４】
前記紫外線照射ユニットは、円形状に複数の前記紫外線ランプが配設されており、前記紫外線照射部では、前記紫外線照射部への入口部分を除き、前記流路の前記紫外線ランプの延在方向に沿う壁面が前記紫外線照射ユニットの円柱状の外形に対応する弧状に形成されていることを特徴とする請求項１乃至３のいずれか１項に記載の紫外線照射装置。
【発明の詳細な説明】
【技術分野】
【０００１】
本発明は、紫外線照射装置に係り、特に、流路を通流する被処理流体に紫外線を照射する紫外線照射装置に関する。
【背景技術】
【０００２】
紫外線照射装置は、流路を通流する被処理流体に紫外線を照射し、例えば被処理流体中の微生物の殺滅、有機物の酸化分解、その他の有毒物質の分解などによる流体の浄化処理などを行うものである。このような紫外線照射装置として、被処理流体が通流する直方体や立方体形状の流路内に、紫外線照射ユニットを、流路内を通流する被処理流体の流れの方行に並べて設置した構成のものが用いられている。このような構成の紫外線照射装置では、紫外線照射ユニットが有する紫外線ランプは、流路内の被処理流体の流れに交わる方向に延在した状態で設置されている。
【発明の開示】
【発明が解決しようとする課題】
【０００３】
ところで、紫外線照射装置では、紫外線ランプに対する流路内の位置、つまり紫外線ランプからの距離によって、被処理流体に照射される紫外線強度が変わる。そして、紫外線強度は、紫外線ランプからの距離が離れるに連れ低くなる。したがって、被処理流体は、その通流する位置つまり紫外線ランプからの距離によって、被処理流体の処理に必要な強度の紫外線を受ける部分と、必要な強度の紫外線を受けることができない部分とが生じる。すなわち、例えば被処理水中の細菌などの微生物を紫外線により殺滅しようとする場合、紫外線ランプに対して被処理水に同伴された微生物が通過する位置によって、受ける紫外線照射量が不均一となり、十分な処理能力、この場合、殺滅能力を得られない場合が生じる。
【０００４】
このため、被処理流体や被処理流体中の照射対象物が受ける紫外線照射量をできるだけ均一化し、処理能力を向上できる紫外線照射装置が求められている。
【０００５】
本発明の課題は、紫外線照射装置の処理能力を向上することにある。
【課題を解決するための手段】
【０００６】
本発明の紫外線照射装置は、被処理流体が通流する流路と、この流路内に設置されてこの流路内を通流する被処理流体に紫外線を照射する複数の紫外線照射ユニットとを備え、この紫外線照射ユニットには、流路内の被処理流体の流れに交わる方向に延在した状態で紫外線ランプが設置され、流路には、複数の前記紫外線照射ユニットが流路内の被処理流体の流れの方向に並べて設置され、複数の紫外線照射ユニットが流路内に設置された紫外線照射部では、隣り合う紫外線照射ユニットの間で、流路の紫外線ランプの延在方向に沿う方向の壁面間の幅が狭くなっている構成とすることにより上記課題を解決する。
【０００７】
このような構成とすれば、隣り合う紫外線照射ユニットの間で、流路の紫外線ランプの延在方向に沿う方向の壁面間の幅が狭くなっていることにより、紫外線照射部を通流する被処理流体の撹拌混合が促進される。したがって、被処理流体や被処理流体中の照射対象物が受ける紫外線照射量の均一化が促進されることとなるため、紫外線照射装置の処理能力を向上できる。
また、紫外線照射部からの出口部分で、流路の前記紫外線ランプの延在方向に沿う方向の壁面間の幅が狭くなっている構成とすれば、紫外線照射部からの出口部分側に位置する紫外線照射ユニット周囲での被処理流体の撹拌混合をより促進できるので、紫外線照射装置の処理能力をより向上できる。
【０００８】
さらに、隣り合う紫外線照射ユニットの間で紫外線ランプの延在方向に沿う方向の壁面間の幅が狭くなっている部分は、流路の紫外線ランプの延在方向に沿う方向の壁面間の幅が漸次狭くなった後、漸次拡大する形状となっている構成とする。このような構成により、紫外線照射部の流路を通流する被処理流体の撹拌混合をより促進できる。
【０００９】
また、紫外線照射部では、流路の紫外線ランプの延在方向に沿う方向の壁面間の幅が、紫外線照射部以外の部分の幅よりも狭くなっている構成とする。このような構成とすれば、紫外線ランプから最も離れた位置を通流する被処理流体までの距離を短くすることができる。
【００１０】
さらに、紫外線照射ユニットは、円形状に複数の紫外線ランプが配設されており、紫外線照射部では、紫外線照射部への入口部分を除き、流路の前記紫外線ランプの延在方向に沿う壁面が紫外線照射ユニットの円柱状の外形に対応する弧状に形成されている構成とすれば、紫外線ランプから最も離れた位置を通流する被処理流体までの距離を短くでき、さらに、被処理流体の撹拌混合をより促進できるので、紫外線照射装置の処理能力を一層向上できる。
【発明の効果】
【００１１】
本発明によれば、紫外線照射装置の処理能力を向上できる。
【発明を実施するための最良の形態】
【００１２】
以下、本発明を適用してなる紫外線照射装置の一実施形態について図１乃至図４を参照して説明する。図１は、本発明を適用してなる紫外線照射装置の概略構成を示す斜視図である。図２は、本発明を適用してなる紫外線照射装置の紫外線照射部の部分を拡大して示す水平方向での断面図である。図３は、本発明を適用してなる紫外線照射装置の紫外線照射ユニットの部分の概略構成を示す側面図である。図４は、本発明を適用してなる紫外線照射装置の紫外線照射部の部分を拡大して示す水平方向での断面図である。なお、本実施形態では、被処理流体が水であり、この水中の菌体、例えば大腸菌などを殺滅するための紫外線照射装置を例として説明する。
【００１３】
本実施形態の紫外線照射装置１は、図１に示すように、上部が開口した溝状の開水路型の被処理水の流路を有している。本実施形態では、同じ構成の２つの紫外線照射装置１が、１本の被処理水が通流する断面矩形の流路３に対して設けられている。紫外線照射装置１は、被処理水の流れに対して上流側から、導入水路部５、紫外線照射部７、導出水路部９、そして越流トラフ１１が順に設けられている。これらの導入水路部５、紫外線照射部７、導出水路部９、そして越流トラフ１１が、直線状に配置され、上部が開口した溝状の開水路型の被処理水の流路を形成している。
【００１４】
導入水路部５は、紫外線照射部７へ被処理水を導くための流路３と同じ断面矩形の流路であり、流路３内の延在方向に対して直角に延在する状態で流路３に連結されている。導入水路部５の流路３との連結部分には、格子状に複数の貫通穴１３ａが形成された平板状の整流板１３が垂直に流路を塞ぐ形で設置されている。紫外線照射部７は、図１及び図２に示すように、断面矩形の流路の対向する側壁１４間の幅を変えるために両側壁１４側に各々設置された流路幅調整部材１５、流路幅調整部材１５で形成された壁面間に設置される２基の紫外線照射ユニット１７とで構成されている。
【００１５】
流路幅調整部材１５は、耐腐食性を有する材料、例えばステンレスなどの板を所望の形状に曲げ加工して形成したものである。そして、対称な形状に形成された１対の流路幅調整部材１５を流路の両側壁に対称な状態で各々設置することで、紫外線照射部７における被処理流体の流路１９の形状、幅を所望の形状にする。紫外線照射ユニット１７は、図２及び図３に示すように、円周上に等間隔で配置された紫外線透過管２１を支持する支持フレーム２３、紫外線透過管２１の外側表面に付着した汚れなどを払拭するワイパ２５、そしてワイパ２５を駆動するためのモータ２７とモータ２７の軸に連結された回転軸２９などで構成されている。
【００１６】
紫外線透過管２１は、紫外線を透過する材質、例えば石英ガラスやテフロン（登録商標）製の直管状の管体であり、例えばＵ字状や複数本の直管状の紫外線ランプ３１を挿入して水密に密封したものである。紫外線透過管２１の下端部は、紫外線の影響を受け難い合成樹脂などの材料で形成された略円盤状のシールキャップ３２で水密に閉塞されている。シールキャップ３２で閉塞された紫外線透過管２１の下端部には、紫外線ランプ３１の下端を支持する下側ランプ支持部材３３が設置されている。紫外線ランプ３１がＵ字状のものである場合、紫外線ランプ３１の口金は、紫外線透過管２１の上端部側に位置する上側ランプ支持部材３５に固定されたソケットに挿入されている。下側ランプ支持部材３３や上側ランプ支持部材３５は、紫外線の影響を受け難い金属や合成樹脂などの材料で形成されている。
【００１７】
紫外線透過管２１の上端部は、紫外線の影響を受け難い合成樹脂などの材料で形成された略円盤状のシールキャップ３７で水密に閉塞されている。シールキャップ３７に上側ランプ支持部材３５からの配線３９が水密に挿通されることによって、配線３９が紫外線透過管２１の外側に導かれている。配線３９は、図示していない安定器や電源などからなる紫外線ランプ点灯手段に連結されている。
【００１８】
支持フレーム２３は、防食性の材料、例えばステンレスやアルミニウムなどの金属や合成樹脂などで形成されており、略平板状で円盤形の台座部２３ａ、平板状で紫外線透過管２１の上端部を支持する円盤状の支持板２３ｂ、台座部２３ａと支持板２３ｂの間に設けられた少なくとも２本の支持棒２３ｃなどで構成されている。台座部２３ａの上面には、紫外線透過管２１の下端部が取り付けられている。支持板２３ｂには、紫外線透過管２１の設置位置に対応する位置に紫外線透過管２１の外径と同じ径の貫通穴が形成されている。
【００１９】
本実施形態の支持フレーム５は、７本の紫外線透過管２１を支持するものであり、支持板２３ｂには、支持板２３ｂの中心を取り巻くように等間隔に７つの貫通穴が形成されている。そして、台座部２３ａには、支持板２３ｂに形成された７つの貫通穴に対応する位置に紫外線透過管２１の下端部が取り付けられる支持部分が設けられている。なお、支持棒２３ｃは、紫外線透過管２１よりも外側に設置されている。
【００２０】
モータ２７は、支持板２３ｂの上面の中心部に取り付けられている。モータ２７の軸に連結された回転軸２９は、支持板２３ｂの中心に形成された貫通穴に挿通され、回転軸２９の端部は、台座部２３ａの中心に設けられたフート軸受け２３ｄによって回転自在に支持されている。回転軸２９の外表面には、図示していないが、ねじ山が切ってある。ワイパ２５は、防食性の材料、防食性の材質、例えばステンレスやテフロン（登録商標）などで形成されており、回転軸２９のねじ山に螺合する筒状のナット部２５ａ、ナット部２５ａに固定され紫外線透過管２１の外径と同じ径の穴を有するリング状部２５ｂ、そしてリング状部２５ｂに固定され、支持棒２３が挿通された筒状部２５ｃなどで形成されている。なお、ワイパ２５は、ナット部２５ａ、リング状部２５ｂ、そして筒状部２５ｃなどを一体に形成することもできるし、別々の材料で形成したナット部２５ａ、リング状部２５ｂ、そして筒状部２５ｃなどを連結して形成することもできる。
【００２１】
このような外形円柱状の紫外線照射ユニット１７が、図１及び図２に示すように、流路幅調整部材１５間に挟まれた、垂直に立てた状態で紫外線照射部７の流路１９に設置されている。複数の紫外線照射ユニット１７は、被処理水の流れの方向に並んだ状態で設置される。例えば、図２の場合では、２基の紫外線照射ユニット１７は、被処理水の流れの方向に並んだ状態で設置されている。また、紫外線照射ユニット１７は、垂直に立てた状態、つまり紫外線ランプ３１や紫外線透過管２１が上下方向に延在している状態で紫外線照射部７の流路１９に設置されている。このため、紫外線ランプ３１や紫外線透過管２１の延在方向が、被処理水の流れに交わる方向となっている。
【００２２】
流路幅調整部材１５で形成された紫外線照射部７の流路１９は、導入水路部５からの被処理水の入口部分１９ａでは、紫外線照射ユニット１７の紫外線ランプ３１や紫外線透過管２１の延在方向に沿う方向の幅が、紫外線照射ユニット１７を設置可能な幅で、導入水路部５のよりも狭い幅となっており、流路幅調整部材１５で形成された対向する壁面が平行になっている。また、紫外線照射部７の流路１９の入口部分１９ａの端と導入水路部５の側壁１４との間には、側壁１４の面に対して垂直な壁面１９ｂが、入口部分１９ａを形成する面に対して垂直に折り曲げられた流路幅調整部材１５の面部分により形成されている。
【００２３】
さらに、流路幅調整部材１５で形成された紫外線照射部７の流路１９は、被処理水の流れに沿って並んで設置された紫外線照射ユニット１７間の部分では、紫外線照射ユニット１７の紫外線ランプ３１や紫外線透過管２１の延在方向に沿う方向の幅が、紫外線照射部７の流路１９の入口部分１９ａの幅よりも狭く、紫外線照射ユニット１７の外径よりも狭い幅となった絞り部分１９ｃとなっている。紫外線照射部７の流路１９の入口部分１９ａと絞り部分１９ｃとの間の流路幅調整部材１５で形成された壁面部分は、紫外線照射ユニット１７の外形に沿った円弧状に形成されている。
【００２４】
一方、流路幅調整部材１５で形成された紫外線照射部７の流路１９の導出水路部９への被処理水の出口部分１９ｄは、絞り部分１９ｃと同様に、紫外線照射ユニット１７の紫外線ランプ３１や紫外線透過管２１の延在方向に沿う方向の幅が、紫外線照射部７の流路１９の入口部分１９ａの幅よりも狭く、紫外線照射ユニット１７の外径よりも狭い幅となっている。そして、紫外線照射部７の流路１９の絞り部分１９ｃと出口部分１９ｄの間の流路幅調整部材１５で形成された壁面部分は、紫外線照射ユニット１７の外形に沿った半円弧状に形成されている。したがって、被処理水の流れに対して下流側に位置する紫外線照射ユニット１７が設置される紫外線照射部７の流路１９の部分は、流路幅調整部材１５で形成された壁面が、紫外線照射ユニット１７を挿入可能な略円柱状の空間を形成している。
【００２５】
また、紫外線照射部７の流路１９の出口部分１９ｄの端と導出水路部９の側壁１４との間には、側壁１４の面に対して垂直な壁面１９ｅが、出口部分１９ｄを形成する面に対して垂直に折り曲げられた流路幅調整部材１５の面部分により形成されている。
【００２６】
このように、流路１９は、絞り部分１９ｃに向かって紫外線ランプ３１や紫外線透過管２１の延在方向に沿う方向の壁面間の幅が漸次狭くなった後、絞り部分１９ｃから漸次拡大して行く形状となっている。なお、図２では、絞り部分１９ｃと出口部分１９ｄを形成する流路幅調整部材１５の面部分は、平行に対向した状態に形成されている。
【００２７】
導出水路部９は、図１に示すように、紫外線照射部７で紫外線照射処理された被処理水を導くための流路であり、導入水路部５を形成しているのと同じ側壁１４により断面矩形に形成されている。越流トラフ１１は、導出水路部９に連なる紫外線処理装置１の最下流部に設けられ、被処理水の通流方向に沿って形成され、導出水路部９よりも底が高い櫛状に平行に設けられた複数の溝１１ａ、１１ｂを有している。越流トラフ１１の溝１１ａは、導出水路部９側の被処理水の流入側の端部が閉塞され、被処理水の流出側の端部が開放されており、溝１１ｂは、導出水路部９側の被処理水の流入側の端部が開放され、被処理水の流出側の端部が閉塞されている。越流トラフ１１には、このような溝１１ａと溝１１ｂとが交互に設けられている。紫外線照射処理された被処理水は、導出水路部９から溝１１ｂに流れ込んだ後、被処理水の流出側の端部が開放された溝１１ａに流れ込み、この溝１１ａから紫外線照射装置１外に流出する。
【００２８】
このような構成の紫外線照射装置１の動作と本発明の特徴部について説明する。本実施形態の紫外線照射装置１では、流路３から整流板１３を介して導入流路部５に被処理水が流入する。導入流路部５に流入した被処理水は、紫外線照射部７へ導かれ、紫外線照射部７の流路１９内を通流する間に紫外線照射ユニット１７から紫外線の照射を受ける。このとき、紫外線照射部７の流路１９の入口部分１９ａから流入した被処理水は、被処理水の流れに対して上流側に設置された紫外線照射ユニット１７の部分を通流したのち、幅が狭くなった流路１９の絞り部分１９ｃに向かう際に、流路１９の中央部分に流れが収束した状態となる。したがって、被処理水が上流側に設置された紫外線照射ユニット１７の紫外線透過管２１に衝突することと、流路１９の絞り部分１９ｃに向かうに連れて流路１９の中央部分に収束して行くこととによって、流路１９の上流側に設置された紫外線照射ユニット１７部分での被処理水の撹拌混合が促進される。
【００２９】
さらに、流路１９の絞り部分１９ｃを通過した被処理水は、流路１９の幅が広がることにより、流路１９の壁面に向かって拡がる状態となる。したがって、被処理水が流路１９の絞り部分１９ｃよりも下流側に設置された紫外線照射ユニット１７の紫外線透過管２１に衝突することと、流路１９の絞り部分１９ｃから向流路１９の壁面に向かって拡大して行くこととによって、流路１９の下流側に設置された紫外線照射ユニット１７部分での被処理水の撹拌混合が促進される。
【００３０】
このように本実施形態の紫外線照射装置１では、紫外線照射ユニット１７が設置された紫外線照射部７の被処理流体の流路１９は、紫外線ランプ３１や紫外線透過管２１の延在方向に沿う方向の幅が、隣り合う紫外線照射部７の流路１９の絞り部分１９ｃで狭くなっている。このため、紫外線照射部７の流路１９を通流する被処理水が上流側及び下流側の紫外線照射ユニット１７に衝突するのと、被処理水が流路１９の絞り部分１９ｃに向かって収束し、通過後拡大することが相まって被処理流体の水平方向での撹拌混合が促進される。したがって、被処理流体や被処理流体中の照射対象物が受ける紫外線照射量の均一化が促進され、紫外線照射装置の処理能力を向上できる。
【００３１】
さらに、本実施形態では、紫外線照射部７の流路１９の出口部分１９ｄでも、流路１９の紫外線ランプ３１や紫外線透過管２１の延在方向に沿う方向の壁面間の幅が狭くなっている。したがって、流路１９の出口部分１９ｄ側に設置された紫外線照射ユニット１７周囲での被処理流体の撹拌混合がより促進されるので、紫外線照射装置の処理能力をより向上できる。加えて、流路１９の紫外線ランプ３１や紫外線透過管２１の延在方向に沿う方向の壁面間の幅は、絞り部分１９ｃの上流側近傍で、絞り部分１９ｃに向かうに連れて漸次狭くなり、絞り部分１９ｃの下流側近傍で、絞り部分１９ｃから離れるに連れて漸次拡大する形状となっている。このため、被処理流体の流れの収束及び拡大がより効率的にでき、紫外線照射部の流路を通流する被処理流体の撹拌混合をより促進できる。
【００３２】
さらに、本実施形態では、紫外線照射部７の流路１９の紫外線ランプの延在方向に沿う方向の壁面間の幅は、導入流路部５や導出流路部９などの幅よりも狭くなっている。このため、紫外線ランプから最も離れた位置を通流する被処理水や菌体などまでの距離が短くなり、紫外線照射装置の処理能力をより向上できる。
【００３３】
さらに、本実施形態の紫外線照射ユニット１７では、円形状に複数の紫外線ランプ３１が挿入された紫外線透過管２１が配設されており、紫外線照射部７では、紫外線照射部７の流路１９の入口部分１９ａを除き、流路１９の紫外線ランプ３１や紫外線透過管２１の延在方向に沿う壁面が紫外線照射ユニット１７の外形に対応する弧状に形成され、流路１９の形状が略円柱状となっている。このため、流路１９内の紫外線ランプ２１から最も離れた位置を通流する被処理水や菌体までの距離を短くでき、さらに、被処理水の撹拌混合をより促進できるので、紫外線照射装置の処理能力を一層向上できる。
【００３４】
また、本実施形態では、被処理水の流れに沿って紫外線照射ユニット１７を２基並べて設置した構成としているが、紫外線照射ユニット１７の設置数は、適宜選択することができる。例えば、図４に示すように、被処理水の流れに沿って紫外線照射ユニット１７を３基並べて設置した構成などにすることもできる。このとき、紫外線照射部７の流路１９の絞り部分１９ｃは２箇所に形成される。なお、紫外線照射部７の流路１９の絞り部分１９ｃの数が多くなるほど、被処理水の撹拌混合が促進されるため、紫外線照射装置に必要とされる処理能力や設置場所の広さ、コストなどの条件にもよるが、処理能力が向上する上では、紫外線照射ユニットの設置数及び紫外線照射部７の流路１９の絞り部分１９ｃの数はできるだけ多い方が望ましい。
【００３５】
また、本実施形態では、紫外線照射部７の流路１９の絞り部分１９ｃと出口部分１９ｄを形成する流路幅調整部材１５の面部分は、平行に対向した状態に形成されている。しかし、紫外線照射部７の流路１９の絞り部分１９ｃと出口部分１９ｄは、紫外線ランプ３１や紫外線透過管２１の延在方向に沿う方向の壁面間の幅が狭くなっていれば、絞り部分１９ｃと出口部分１９ｄを形成する流路幅調整部材１５の面部分は、平行に対向した状態に形成されている必要はなく、例えば、図４に示すような壁面が曲折した状態などにすることもできる。
【００３６】
また、本実施形態では、紫外線照射部７の流路１９の絞り部分１９ｃに連なる流路幅調整部材１５の面部分は、円弧状に形成されているが、図４に示すような直線状の面として紫外線照射部７の流路１９の絞り部分１９ｃの上流側及び下流側で紫外線照射部７の流路１９の幅が漸次縮小、拡大する形状にすることもできる。さらに、紫外線照射部７の流路１９の絞り部分１９ｃと出口部分１９ｄは、紫外線ランプ３１や紫外線透過管２１の延在方向に沿う方向の壁面間の幅が狭くなっていれば、紫外線照射部７の流路１９の絞り部分１９ｃの上流側及び下流側で、円弧状または直線状に紫外線照射部７の流路１９の幅が漸次縮小、拡大する形状にしないこともできる。ただし、紫外線照射部７の流路１９の絞り部分１９ｃの上流側及び下流側で、円弧状または直線状に紫外線照射部７の流路１９の幅が漸次縮小、拡大する形状にした方が、被処理水の撹拌混合をより促進できるので望ましい。
【００３７】
また、本発明は、本実施形態の紫外線照射装置１の流路の構成や、本実施形態で用いた紫外線照射ユニット１７の構成などに限らず、被処理流体の流れの方向に交わる方向に紫外線照射ユニットが有する紫外線ランプや紫外線透過管が延在し、被処理流体の流れの方向に沿って紫外線照射ユニットを並べて設置した構成で有れば、様々な構成の紫外線照射装置に適用できる。加えて、本発明は、本実施形態のような被処理流体が水であり、この水中の菌体、例えば大腸菌などを殺滅するための紫外線照射装置に限らず、様々な種類の被処理流体を様々な目的で処理する様々な紫外線照射装置に適用できる。
【図面の簡単な説明】
【００３８】
【図１】本発明を適用してなる紫外線照射装置の一実施形態の概略構成を示す斜視図である。
【図２】本発明を適用してなる紫外線照射装置の一実施形態の紫外線照射部の部分を拡大して示す水平方向での断面図である。
【図３】本発明を適用してなる紫外線照射装置の一実施形態における紫外線照射ユニットの部分の概略構成を示す側面図である。
【図４】本発明を適用してなる紫外線照射装置の一実施形態の紫外線照射部の部分を拡大して示す水平方向での断面図である。
【符号の説明】
【００３９】
１  紫外線照射装置
５  導入水路部
７  紫外線照射部
９  導出水路部
１５  流路幅調整部材
１９  流路
１９ａ  入口部分
１９ｃ  絞り部分
１９ｄ  出口部分
２１  紫外線透過管
３１  紫外線ランプ
【図１】
2005040746.tif 000003
【図２】
2005040746.tif 000004
【図３】
2005040746.tif 000005
【図４】
2005040746.tif 000006